(57)【特許請求の範囲】
【請求項１】
地上デジタル放送の部分受信を行う場合に用いられかつ地上デジタル放送で用いられている差集合巡回符号を復号するための誤り訂正回路であって、閾値を変化させてｎ回（ｎは自然数）訂正処理を行う誤り訂正回路において、
伝送モード条件に基づいて、誤り訂正に用いる閾値および訂正処理回数を決定する手段を備えていることを特徴とする誤り訂正回路。
【請求項２】
伝送モード条件が、伝送モードであることを特徴とする請求項１に記載の誤り訂正回路。
【請求項３】
伝送モード条件が、伝送モードとガードインターバルであることを特徴とする請求項１に記載の誤り訂正回路。
【発明の詳細な説明】
【０００１】
【産業上の利用分野】
この発明は、地上デジタル放送で用いられている巡回符号を用いた１ビット単位で誤り訂正を行う誤り訂正回路に関し、特に部分受信を行う携帯型受信機の誤り訂正処理の高速化に適した誤り訂正回路に関する。
【０００２】
【従来の技術】
地上デジタル放送伝送方式では伝送多重制御信号（ＴＭＣＣ）の誤り訂正符号として差集合巡回符号（ＳＤＳＣ）が用いられている。差集合巡回符号は、多数決論理によって復号可能な誤り訂正符号であり、次のような特徴を持っている。
【０００３】
▲１▼  比較的簡単に復号回路を構成することが可能（回路規模が小さい）である。
▲２▼  ランダム誤り訂正符号である。
▲３▼  回路の工夫により、誤り訂正能力を増大できる。
▲４▼  軟判定復号が比較的簡単に実現できる。
【０００４】
差集合巡回符号を用いた誤り訂正回路では、通常、誤り訂正能力を増大させるため、閾値を順次変化させて誤り訂正を複数回行うことにより、誤り訂正能力の向上を行っている。このように、誤り訂正処理を複数回行うためには、相応の処理時間が必要となる。
【０００５】
地上デジタル放送用受信機では、チャンネル選択や電源投入時に素早い動作が求められる。ＴＭＣＣには変調方式など伝送信号を復調するのに必要な情報が含まれているため、ＴＭＣＣデータを迅速に取得する必要がある。ＴＭＣＣデータは１フレーム単位で送信されるが、１フレームは地上デジタル放送伝送方式の伝送モードによっては２５０ｍｓｅｃ以上の期間が必要になるため、あるフレームにおいてＴＭＣＣを取得することができなかった場合には、次のＴＭＣＣを得るまで時間がかかることなる。しかしながら、あるフレーム内の全てのＴＭＣＣデータが誤り訂正回路に入力されてから、次のフレームの先頭が到来するまでの時間間隔は非常に短いため、ＴＭＣＣの誤り訂正を迅速に行う必要がある。
【０００６】
特開 2001-94439 号公報に開示された誤り訂正回路では、２つの誤り訂正ブロックを並列に動作させることにより、ＴＭＣＣの誤り訂正を迅速に行うようにしている。
【０００７】
【発明が解決しようとする課題】
地上デジタル放送では、携帯型受信機での受信を考慮した部分受信が伝送規格として制定されている。部分受信では、地上デシタル放送の１シンボル中に含まれる１３セグメントのうちの１セグメントのみを受信する。部分受信を行う携帯型受信機では一般の地上デジタル放送用受信機の１／１３のデータを扱うので、地上デジタル放送用受信機に比べ遅いクロックでの処理が可能である。しかし、一方で、チャンネル選択や電源投入時には、一般の地上デジタル放送用受信機と同等の素早い動作も求められる。上記特開 2001-94439 に開示された誤り訂正回路は、誤り訂正を迅速に行う機能を備えているが、部分受信に適した誤り訂正を行う機能を備えていない。
【０００８】
そこで、本願発明者らは、（社）電波産業会地上デジタルテレビジョン放送の伝送方式ＡＲＩＢＳＴＤ−Ｂ３１若しくは地上デジタル音声放送の伝送方式ＡＲＩＢＳＴＤ−Ｂ２９の規程では、伝送モードやガードインターバルによって１フレームの時間間隔（クロック数）が変化することに着目し、モードやガードインターバルによって誤り訂正の閾値を変え、誤り訂正回数を変化させることにより、迅速な誤り訂正処理を行うことを発明した。
【０００９】
この発明は、地上デジタル放送を部分受信する場合において、比較的簡単な構成で、迅速な誤り訂正処理を行えるようになる誤り訂正回路を提供することを目的とする。
【００１０】
【課題を解決するための手段】
請求項１に記載の発明は、地上デジタル放送の部分受信を行う場合に用いられかつ地上デジタル放送で用いられている差集合巡回符号を復号するための誤り訂正回路であって、閾値を変化させてｎ回（ｎは自然数）訂正処理を行う誤り訂正回路において、伝送モード条件に基づいて、誤り訂正に用いる閾値および訂正処理回数を決定する手段を備えていることを特徴とする。
【００１１】
請求項２に記載の発明は、請求項１に記載の誤り訂正回路において、伝送モード条件が、伝送モードであることを特徴とする。
【００１２】
請求項３に記載の発明は、請求項１に記載の誤り訂正回路において、伝送モード条件が、伝送モードとガードインターバルであることを特徴とする。
【００１３】
【発明の実施の形態】
先ず、従来の誤り訂正回路についてより具体的に説明した後、本発明の実施の形態について説明する。
【００１４】
〔１〕従来の誤り訂正回路の具体的な説明
（社）電波産業会地上デジタルテレビジョン放送の伝送方式ＡＲＩＢＳＴＤ−Ｂ３１では、変調方式として直交周波数分割多重（ＯＦＤＭ）方式を、情報源符号化方式及び多重化方式としてＭＰＥＧ２を採用している。また、現在伝送されているキャリア変調方式、畳込み符号化率、時間インターリーブ長等のパラメータを指定するための信号として、伝送多重制御信号（ＴＭＣＣ）を用いている。誤り訂正方式としては、ＴＭＣＣ以外の信号（以下、情報信号という）に対しては畳込み符号とリードソロモン（ＲＳ）符号が用いられ、ＴＭＣＣに対しては比較的回路規模が小さい差集合巡回符号が用いられている。
【００１５】
ＴＭＣＣには、伝送路のパラメータであるキャリア変調方式、畳込み符号化率、時間インターリーブ長等が含まれているため、あるフレーム内に含まれているＴＭＣＣの復号は、次のフレームの開始前に完了しておく必要がある。地上デジタルテレビジョン放送の伝送方式では、２０４シンボルが１フレームとして伝送され、１シンボル毎に１ビットのＴＭＣＣデータが複数個挿入されている。１シンボル中に含まれている複数個のＴＭＣＣデータは、全て同じ値である。１シンボル内に同じ値のＴＭＣＣデータが複数個挿入されている理由は、多数決判別して誤り訂正能力を高めるためである。
【００１６】
ＴＭＣＣデータは、１フレーム２０４ビットのデータで構成されているが、先頭から４０ビットは同期信号などであり、誤り訂正範囲に含まれていない。残り１８４ビットが冗長部分を含んだ制御信号の部分である。
【００１７】
表１は、ＴＭＣＣ信号の内容を示している。
【００１８】
【表１】
0003813517.tif 000002
【００１９】
ＴＭＣＣ信号は表１に示すように、システム識別、伝送パラメータ切替指標、緊急警報放送用起動フラグ、カレント情報およびネクスト情報内の部分受信フラグおよび伝送パラメータ情報、ならびに連結送信位相補正量からなり、これに誤り訂正のための冗長符号が付加されている。
【００２０】
システム識別は、テレビ放送や音声放送を識別するための信号である。伝送パラメータ切替指標は、変調方式など伝送パラメータ情報が変化する時にタイミングを合わせるための信号である。緊急警報放送用起動フラグは、緊急放送の有無を知らせる信号である。連結送信位相補正量は音声放送用の補助信号である。
【００２１】
カレント情報およびネクスト情報は、現在の変調方式などの情報と次に変更される情報を示している。部分受信フラグは、１セグメント放送である部分受信放送の有無を知らせる信号である。伝送パラメータ情報は、変調方式や誤り訂正方式を知らせる信号である。
【００２２】
なお、地上デジタルテレビジョン放送においては、ＴＭＣＣの内容が変わることはほとんどない。
【００２３】
図１は、地上デジタルテレビジョン放送で受信された信号に対するＦＦＴ（高速フーリエ変換）後のデータを示している。
【００２４】
図１（ａ）に示すように、ＦＦＴ後のデータは、１シンボル単位で出力され、２０４シンボルで１フレームが構成されている。隣接するシンボル間には、ガードインターバルが存在している。ガードインターバルはマルチパスなど電波の反射等の影響を回避するために設けられた部分であり、ＦＦＴ後のデータとしては無効データとなっている。
【００２５】
１シンボルは、図１（ｂ）に示すように、映像音声などの情報信号と、複数個のＴＭＣＣ信号とから構成されている。１シンボル内の複数のＴＭＣＣデータは全て同じ値（０または１）であり、規格で定められた位置に配置されている。図１（ｂ）からわかるように、１フレーム内の全てのＴＭＣＣデータが誤り訂正回路に入力されてから、次のフレームの先頭までの期間は短い。なお、１シンボル内には１３セグメントが含まれており、部分受信において１３セグメントのうちの特定の１セグメントのみを受信する。
【００２６】
ＴＭＣＣの誤り訂正に用いられている差集合巡回符号の復号方式として、誤り訂正能力を向上させるため、誤りを判別する閾値を変化させて複数回誤り訂正を行う方法が通常用いられている。しかしながら、この方式を用いた場合、１回の誤り訂正を行う場合に比べて、より多くの処理時間がかかってしまう。このため、通常のＦＦＴサンプルクロックを用いて誤り訂正処理を行った場合には、次のフレームまでに処理を行うことは不可能である。そこで、ＦＦＴサンプルクロックより周波数の高いクロックを用いて誤り訂正を行うなどの方法が用いられている。
【００２７】
図２は、地上デジタル放送のＴＭＣＣ信号に対する従来の誤り訂正回路の構成を示している（特開２０００１−９４４３９号公報参照）。この誤り訂正回路は、誤り訂正処理の完了時点を早めるために、冗長部分を含んだ制御信号（誤り訂正に関係のある制御信号）１８４ビットのうち、最終ビットのデータが決定された時点直後ではなく、最終ビットの１ビット前のデータが決定された時点直後から、誤り訂正処理を行えるようにしたことを特徴としている。
【００２８】
１シンボルの中のＴＭＣＣデータは、まず多数決判別回路７に入力される。多数決判別回路７では、１シンボル中のＴＭＣＣデータの多数決判別を行い、”１”の数が多ければ”１”を、”０”の数が多ければ”０”を出力する。この多数決判別により、１シンボル中に１つのみのデータを挿入する場合に比べてデータの精度が向上する。
【００２９】
多数決判別回路７の出力は、訂正前データ入力処理回路８に入力される。訂正前データ入力処理回路８では、ＴＭＣＣデータ２０４ビットのうちの誤り訂正に関係する１８４ビットのＴＭＣＣデータを、第１および第２の誤り訂正ブロック９、１０に入力する。この際、訂正前データ入力処理回路８では、誤り訂正に関係するデータ１８４ビットのうちの１８３ビット目を出力した直後に、１８４ビット目のデータとして第１の誤り訂正ブロック９には”１”を、第２の誤り訂正ブロック１０には”０”を出力する。
【００３０】
各誤り訂正ブロック９、１０は、訂正前データ入力処理回路８から誤り訂正に関係する１８４ビットのデータが入力されると、それぞれ誤り訂正処理を開始する。つまり、各誤り訂正ブロック９、１０は、誤り訂正に関係する１８４ビットのデータのうち、最終ビットの１ビット前のデータが多数決判別回路７によって決定された時点直後から、誤り訂正処理を開始する。
【００３１】
図３は、誤り訂正ブロック９（または１０）の構成を示している。
誤り訂正処理ブロックは、シフトレジスタ１４、シンドロームレジスタ１５、閾値設定回路１６、多数決判別回路１７、エラー訂正ＯＫ判別回路１８および排他的論理和回路（ＥＸＯＲ回路）１９、２０を備えている。
【００３２】
誤り訂正に関係する１８４ビットのＴＭＣＣデータは、シフトレジスタ１４およびシンドロームレジスタ１５に入力される。これらのＴＭＣＣデータの入力が終了すると、シフトレジスタ１４およびシンドロームレジスタ１５の内容を１ビットづつシフトする。そして、多数決判別回路１７は、閾値設定回路１６によって設定された閾値に対して、シンドロームレジスタ１５のデータから得られるシンドローム情報を基に、エラーの有無を判別する。多数決判別回路１７は、エラーが検出された場合は”１”を、エラーが検出されない場合は”０”を出力する。
【００３３】
差集合巡回符号はビット誤り訂正符号であるため、多数決判別回路１７から排他的論理和回路１９に与えられるデータが”１”の場合には、シフトレジスタ１４の出力が反転され、データが訂正される。これを１８４ビット繰り返し、全てのＴＭＣＣデータに対する誤り訂正を行う。
【００３４】
１回目の訂正処理が終了すると、閾値設定回路１６の設定値を変化させ、再び同様な誤り訂正処理を行う。このように閾値を変更して複数回誤り訂正処理を行うことにより訂正能力を向上させている。一般的には、６回程度、閾値を変化させて訂正を行う。このようにして誤り訂正が終了すると、各誤り訂正ブロック９、１０から誤り訂正後のデータが出力される。この誤り訂正ブロック９、１０では、誤り訂正後のデータとともにシンドロームレジスタ１５の結果に基づいて得られる、誤り訂正が正常に終了したか否かを示す誤り訂正フラグＯＫ／ＮＧがエラー訂正ＯＫ判別回路１８から出力される。
【００３５】
なお、誤り訂正制御回路１３は、誤り訂正回路の各部の制御を行う。一例として、閾値設定回路１６の閾値の設定を制御する。
【００３６】
誤り訂正処理を終えた第１および第２の誤り訂正ブロック９、１０から出力される誤り訂正後のデータは、出力データ選択回路１２に入力される。出力データ選択回路１２は、出力データ制御回路１１からの制御信号に基づいて、両誤り訂正ブロック９、１０から出力される誤り訂正後のデータのうちの一方を選択して出力する。
【００３７】
出力データ制御回路１１は、各誤り訂正ブロック９、１０からの誤り訂正フラグＯＫ／ＮＧと、多数決判別回路７からのＴＭＣＣデータとに基づいて、出力データ選択回路１２に対する選択制御を行う。
【００３８】
つまり、出力データ制御回路１１は、誤り訂正に関係するＴＭＣＣデータのうちの最終ビット（１８４ビット目）のＴＭＣＣデータが入力されるまで停止状態となっている。そして、出力データ制御回路１１に誤り訂正に関係するデータの１８４ビット目のＴＭＣＣデータが入力されると、出力データ選択回路１２を制御するための選択制御動作を実行する。
【００３９】
出力データ制御回路１１による選択制御の内容は、次の通りである。
▲１▼  誤り訂正に関係するデータの１８４ビット目のデータが”１”であり、かつ第１の誤り訂正ブロック９による誤り訂正が正常に行われている場合（誤り訂正ブロック９から出力される誤り訂正フラグがＯＫである場合）には、第１の誤り訂正ブロック９の出力を選択するように、出力データ選択回路１２を制御する。
【００４０】
▲２▼  誤り訂正に関係するデータの１８４ビット目のデータが”０”であり、かつ第２の誤り訂正ブロック１０による誤り訂正が正常に行われている場合（誤り訂正ブロック１０から出力される誤り訂正フラグがＯＫである場合）には、第２の誤り訂正ブロック１０の出力を選択するように、出力データ選択回路１２を制御する。
【００４１】
▲３▼  誤り訂正に関係するデータの１８４ビット目のデータが”１”であり、かつ第１の誤り訂正ブロック９による誤り訂正が正常に行われておらず、第２の誤り訂正ブロック１０による誤り訂正が正常に行われている場合には、第２の誤り訂正ブロック１０の出力を選択するように、出力データ選択回路１２を制御する。
【００４２】
▲４▼  誤り訂正に関係するデータの１８４ビット目のデータが”０”であり、かつ第２の誤り訂正ブロック１０による誤り訂正が正常に行われておらず、第１の誤り訂正ブロック９による誤り訂正が正常に行われている場合には、第１の誤り訂正ブロック９の出力を選択するように、出力データ選択回路１２を制御する。
【００４３】
▲５▼  誤り訂正に関係するデータの１８４ビット目のデータが”１”であり、かつ両方の誤り訂正ブロック９、１０による誤り訂正が正常に行われていない場合には、第１の誤り訂正ブロック９の出力を選択するように、出力データ選択回路１２を制御する。
【００４４】
▲６▼  誤り訂正に関係するデータの１８４ビット目のデータが”０”であり、かつ両方の誤り訂正ブロック９、１０による誤り訂正が正常に行われていない場合には、第２の誤り訂正ブロック１０の出力を選択するように、出力データ選択回路１２を制御する。
【００４５】
以上のような選択制御を行うことにより、少しでも誤りの少ないデータを、出力データ選択回路１２から出力することが可能になる。
【００４６】
上記従来の誤り訂正回路では、図４に示すように、誤り訂正に関係するデータの１８３ビット目（２０３シンボル目）のＴＭＣＣデータが決定された時点の直後に、誤り訂正ブロック９、１０による誤り訂正処理が開始される。訂正回数は６回である。そして、誤り訂正に関係するデータの最終ビットである１８４ビット目（２０４シンボル目）のＴＭＣＣデータが決定される時点の前に、誤り訂正ブロック９、１０による誤り訂正処理が終了している。
【００４７】
このように、上記従来の誤り訂正回路では、高速にＴＭＣＣの誤り訂正が可能である。ところで、部分受信を行う部分受信機では地上デジタル放送の１／１３のデータを扱うので、一般の地上デジタル放送用受信機に比べて遅いクロックを用いて処理を行う。しかし、一方で、チャンネル選択や電源投入時には一般の地上デジタル放送用受信機と同等の素早い動作も求められる。
【００４８】
そこで、本発明の実施の形態では、伝送モードやガードインターバルによって１フレームの時間間隔が変化することに着目し、モードやガードインターバルによって誤り訂正の閾値を変え、誤り訂正回数を変化させることにより、迅速な訂正処理を行う。
【００４９】
〔２〕本発明の実施の形態の説明
【００５０】
表２は、ＯＦＤＭパラメータを示している。
【００５１】
【表２】
0003813517.tif 000003
【００５２】
表２に示すように、３種類の伝送モードが規程されているとともに、各伝送モード毎に４種類のガードインターバルが規程されている。
【００５３】
一般の地上デジタル放送受信（１３セグメント受信）では、ＦＦＴサンプル周波数が約８ＭＨｚになっており、伝送モード２、３の１３セグメントのキャリア数が２８０９、５６１７となっているので、伝送モード２、３のＦＦＴポイント数は各々４ｋ、８ｋとなる。一方、部分受信（１セグメント受信）では、１３セグメント中の１セグメントのみを受信するため、伝送モード２、３のＦＦＴポイント数は各々２５６、５１２になる。
【００５４】
通常、受信機のＦＦＴサンプルクロックの周波数はＦＦＴポイント数に比例するので、部分受信機は一般の地上デジタル放送受信機（１３セグメント受信）の１／１６の周波数のクロックで動作する。
【００５５】
誤り訂正に必要なクロック数について説明する。誤り訂正符号には差集合巡回符号（２７３、１９１）の短縮符号（１８４、１０２）が用いられている。この差集合巡回符号を用いて誤り訂正を行うには、データの入力後、２７３クロックが必要である。１回の誤り訂正当たり２７３クロック必要であるので、従来の誤り訂正回路のように閾値を１４から９までの可変閾値とした場合、１６３８（＝２７３×６）クロック以上が必要となる。
【００５６】
伝送モード３において、図２の従来の誤り訂正回路と同様に２つの誤り訂正ブロックを並行して動作させた場合で、誤り訂正ブロックの動作クロックの周波数としてＦＦＴサンプルクロックの周波数の４倍のクロックを用いた場合、１シンボル当たりの誤り訂正用クロック数は、２０４８（＝５１２×４）になるので、必要クロック条件を満たす。
【００５７】
伝送モード２の場合は、誤り訂正ブロックの動作クロックの周波数としてＦＦＴサンプルクロックの周波数の４倍のクロックを用いた場合、１シンボル当たりの誤り訂正用クロック数は１０２４（＝２５６×４）となり、必要クロック条件を満たさない。ここで、誤り訂正回数を３回とすると、必要クロックは８１９（＝２７３×３）以上となるので、伝送モード２の場合でも必要クロック条件を満たすようになる。
【００５８】
そこで、伝送モード２の場合には誤り訂正回数を３回とし、伝送モード３の場合には誤り訂正回数を６回とする。このように伝送モードによって、誤り訂正回数を変化させることにより、訂正能力を十分に生かした迅速な訂正処理が可能である。
【００５９】
図５は、本発明の実施の形態による部分受信機に内蔵された誤り訂正回路の構成を示している。図５において、図２と同じものには同じ符号を付してある。図５の誤り訂正回路は、図２の従来の誤り訂正回路に、閾値制御回路１００を付加したものである。
【００６０】
図６は、閾値制御回路１００の構成を示している。
【００６１】
閾値制御回路１００は、訂正回数設定回路１０１と初期閾値設定回路１０２とを備えている。なお、誤り訂正回路の各部は、ＦＦＴサンプルクロックの４倍の周波数のクロックに基づいて動作しているものとする。
【００６２】
訂正回数設定回路１０１にＦＦＴ回路内に設けられたキャリア同期やクロック再生などを行う復調回路（図示略）から伝送モード信号が入力されると、訂正回数設定回路１０１はモード信号によって表される伝送モードに応じた誤り訂正回数を設定する。例えば、伝送モード２の場合には訂正回数”３”を、伝送モード３の場合には訂正回数”６”を設定する。訂正回数設定回路１０１によって設定された訂正回数は、誤り訂正制御回路１３に送られる。誤り訂正制御回路１３は、訂正回数設定回路１０１から入力した訂正回数に応じて誤り訂正制御処理を行う。
【００６３】
初期閾値設定回路１０２にＦＦＴ回路内に設けられたキャリア同期やクロック再生などを行う復調回路（図示略）から伝送モード信号が入力されると、初期閾値設定回路１０２はモード信号によって表される伝送モードに応じた初期閾値を設定する。例えば伝送モード２の場合は初期閾値”１１”を、伝送モード３の場合は初期閾値”１４”を設定する。初期閾値設定回路１０２によって設定された初期閾値は、第１および第２の誤り訂正ブロック９、１０の閾値設定回路１６（図３参照）に送られる。
【００６４】
各誤り訂正ブロック９、１０は、伝送モード２の場合、閾値を”１１”、”１０”、”９”と順次切り替えて誤り訂正を３回行う。伝送モード３の場合には、閾値を”１４”、”１３”、”１２”、”１１”、”１０”、”９”と順次切り替えて誤り訂正を６回行う。
【００６５】
図７は、各訂正ブロック９、１０によって行われる誤り訂正処理のタイミングを示している。図７（ａ）はモード２の場合の誤り訂正処理のタイミングを示し、図７（ｂ）はモード３の場合の誤り訂正処理のタイミングを示してる。
【００６６】
伝送モード２の場合には、誤り訂正に関係するデータの１８３ビット目（２０３シンボル目）のＴＭＣＣデータが決定された時点の直後に、誤り訂正処理が開始され、誤り訂正が３回行われる。そして、誤り訂正に関係するデータの最終ビットである１８４ビット目を含む２０４シンボル期間が終了する前に、誤り訂正処理が終了している。
【００６７】
伝送モード３の場合には、誤り訂正に関係するデータの１８３ビット目（２０３シンボル目）のＴＭＣＣデータが決定された時点の直後に、誤り訂正処理が開始され、誤り訂正が６回行われる。そして、誤り訂正に関係するデータの最終ビットである１８４ビット目を含む２０４シンボル期間が終了する前に、誤り訂正処理が終了している。
【００６８】
このように伝送モードによって誤り訂正回数を変化させることによって、所要処理時間内に可能な限り訂正能力を高めた誤り訂正が可能である。
【００６９】
上記実施の形態では、伝送モードのみに基づいて誤り訂正回数および閾値を決定した場合について説明したが、伝送モードとガードインターバルとに基づいて誤り訂正回数および閾値を決定するようにしてもよい。
【００７０】
例えば、伝送モードがモード２であり、ガードインターバルが１／４である場合、ガードインターバルも加えた１シンボル当たりのクロック数は１２８０（１０２４×１．２５）クロックとなるので、４回の誤り訂正が可能になる。
【００７１】
【発明の効果】
この発明によれば、地上デジタル放送を部分受信する場合において、比較的簡単な構成で、迅速な誤り訂正処理を行えるようになる。
【図面の簡単な説明】
【図１】地上デジタルテレビジョン放送で受信された信号に対するＦＦＴ後のデータを示す模式図である。
【図２】地上デジタル放送のＴＭＣＣ信号に対する従来の誤り訂正回路の構成を示すブロック図である。
【図３】図２の誤り訂正ブロック９（または１０）の構成を示すブロック図である。
【図４】図２の従来例の誤り訂正タイミングを示すタイミングチャートである。
【図５】本発明の実施の形態による部分受信機に内蔵された誤り訂正回路の構成を示すブロック図である。
【図６】図５の閾値制御回路１００の構成を示すブロック図である。
【図７】図５の誤り訂正回路の誤り訂正タイミングを示すタイミングチャートである。
【符号の説明】
７  多数決判別回路
８  訂正前データ入力処理回路
９、１０  誤り訂正ブロック
１１  出力データ制御回路
１２  出力データ選択回路
１３  誤り訂正制御回路
１００  閾値制御回路
１０１  訂正回数設定回路
１０２  初期閾値設定回路
【図１】
0003813517.tif 000004
【図２】
0003813517.tif 000005
【図３】
0003813517.tif 000006
【図４】
0003813517.tif 000007
【図５】
0003813517.tif 000008
【図６】
0003813517.tif 000009
【図７】
0003813517.tif 000010